(57)【要約】【課題】杆列式の洗濯小物干しハンガーにおいて、干し杆に洗濯物の通しが可能に前端開放であっても、強風時や全体取込時に洗濯物の脱落を確実に防止でき、また、全体を吊り下げる支点が都合よく中心に位置する事となるので、竿からの取込み及び仕舞い込みも取り扱いが容易となり、加えて嵩張りもなく軽量化できる杆列式の洗濯小物干しハンガーを提供する。【解決手段】多数の線材の干し杆が左右に配列された後端を共同連結部により片持ちされて前端開放である杆列体と、該配列の両端に起立されるフック付き左右の側部フレームと、杆列体の前端開放部に着脱可能に組み付けられる閉塞バーとからなり、左右両側部フレームは、線材で上下高の枠状に形成され、杆列体の両側端の干し杆に展開可能に連結してあって、前記フックが前後長さのほぼ中間部に突設され、且つ前記閉塞バーを掛けて仮置きする掛止部が設けてある。【選択図】    図１
2018175833.tif 000002
【特許請求の範囲】
【請求項１】
多数の線材の干し杆が左右に配列された後端を共同連結部により片持ちされて前端開放である杆列体と、該配列の両端に起立されるフック付き左右の側部フレームと、杆列体の前端開放部に着脱可能に組み付けられる閉塞バーとからなり、左右両側部フレームは、線材で上下高の枠状に形成され、杆列体の両側端の干し杆に展開可能に連結してあって、前記フックが前後長さのほぼ中間部に突設され、且つ前記閉塞バーを掛けて仮置きする掛止部を設けてあることを特徴とする杆列式の洗濯小物干しハンガー。
【請求項２】
前記杆列体において、両側端の干し杆を波状に反復屈曲形状に形成し、波頂で側部フレームが揺動可能に連結してあることを特徴とする請求項１記載の杆列式の洗濯小物干しハンガー。
【請求項３】
杆列体において閉塞バーを掛け止め得るよう、両側端間の干し杆の先端に上曲げ反転による爪部を設け、閉塞バーを手前に迎え入れうるように反転先端を上向き迎え角に形成し、両側端の干し杆では、反転した先端が上向きとなる突起を設け、閉塞バーの両端に該突起に係る輪を形成したことを特徴とする請求項１または２記載の杆列式の洗濯小物干しハンガー。
【請求項４】
杆列体において、並列する各干し杆は線材が先端で反転してなることで複線に形成されていることを特徴とする請求項１記載の杆列式の洗濯小物干しハンガー。
【請求項５】
杆列体における各干し杆の反転先端部に、閉塞バーを上動可能に止める爪部を設け、該閉塞バーは、側部フレームを構成する線材に通す輪部を両端に設けてあって、該線材を前記曲げ凹部に至るガイドとしてそれに輪通しで可動に係合されてなることを特徴とする請求項１，２または４記載の杆列式の洗濯小物干しハンガー。
【請求項６】
多数の干し杆とその共同支持部とからなる杆列体において、共同支持部は、角筒形の押出型材により形成され、これに干し杆の通し孔を設けることにより干し杆を片持ちに支持してなり、杆列体の両横に反転可能に連結される枠状の側部フレームは、その下枠線材を中心に反転するよう、共同支持部の端部に枠線材の一部が軸として通る軸孔を設けてあることを特徴とする請求項１記載の杆列式の洗濯小物干しハンガー。
【請求項７】
閉塞バーが後退する側部フレームの上端部に閉塞バーが着脱されるよう、前後一対の金属片を溶接して立設することによりその前後間を閉塞バーが仮置きに係合する掛止部としたことを特徴とする請求項１又は６記載の杆列式の洗濯小物干しハンガー。
【請求項８】
杆列体の両端に有する波形干し杆が側部フレームの下枠線材と一体化され、波形頂点で下枠線材に一体に溶接されていることを特徴とする請求項１又は７記載の杆列式の洗濯小物干しハンガー。
【発明の詳細な説明】
【技術分野】
【０００１】
この発明は、肌着などの主に洗濯小物類をまとめて干しやすくするため、衣類を通しに掛ける線材からなる干し杆が配列される杆列式の洗濯小物干しハンガーに関する。
【背景技術】
【０００２】
従来、肌着などの小物類を干すには、太い物干し竿に密に掛けることはできないため、合理的に線材や棒材等の干し杆が配列されてなる杆列式のハンガーが使用されていた（特許文献１，２）。主体となる杆列体は、小物類を吊り下げる多数の干し杆が左右に並ぶとともに後端の支持体により片持ちに一体化されてなるものであった。使用においては太い竹竿などにフックを掛けて使用されるが、フックの備えについては、基端の前記のような支持体に立設されるか、あるいは、左右両側端にフック付き衣文掛のような側部フレームが連結されていた。
【先行技術文献】
【特許文献】
【０００３】
【特許文献１】特許出願公開２００６―２８０８７２号公報
【特許文献２】実用新案出願公開昭和５５年４８５００公報
【発明の概要】
【発明が解決しようとする課題】
【０００４】
上記のような従来の杆列式の洗濯小物干しハンガーによれば、各干し杆の先端が開放されていたので、干し杆に肌着等を袖で直接通すことで干しやすい反面、先端には止爪が設けられていても衣類が風のあおりで抜けて脱落・飛散するおそれがあり、また、竿からの全体取込み時にも脱落しやすかった。
【０００５】
また、片持ちの支持体にフックを取り付けた場合には、後端が吊りの支点となる関係でつり合いが取れなく不安定となり、干し物が多くなると前屈で衣類が脱落しやすくなる欠点があった。また、重心から外れた片持ちを確実に保持する強度確保のために部材を後端に多用する結果、取込み等に不都合なまでに重く且つ不均衡となるという問題があった。
【０００６】
この発明は、上記のような実情に鑑みて、杆列式の洗濯小物干しハンガーにおいて、干し杆に洗濯物の通しが可能に前端開放であっても、強風時や全体取込時に洗濯物の脱落を確実に防止でき、また、全体を吊り下げる支点が都合よく中心に位置する事となるので、竿からの取込み及び仕舞い込みも取り扱いが容易となり、加えて嵩張りもなく軽量化できる杆列式の洗濯小物干しハンガーを提供することを課題とした。
【課題を解決するための手段】
【０００７】
上記の課題を解決するために、この発明は、多数の線材の干し杆が左右に配列された後端を共同連結部により片持ちされて前端開放である杆列体と、該配列の両端に起立されるフック付き左右の側部フレームと、杆列体の前端開放部に着脱可能に組み付けられる閉塞バーとからなり、左右両側部フレームは、線材で上下高の枠状に形成され、杆列体の両側端の干し杆に展開可能に連結してあって、前記フックが前後長さのほぼ中間部に突設され、且つ前記閉塞バーを掛けて仮置きする掛止部を設けてあることを特徴とする杆列式の洗濯小物干しハンガーを提供する。
【０００８】
杆列式の洗濯小物干しハンガーを上記のように構成したから、使用するときは、一対のフックの間の中間が重心となるので、無理なく安定して吊り下げることができ、前端から閉塞バーを取り外し左右の曲げ凹部に掛けて仮置きした状態で、自由になった手で各干し杆の先端からそれに小物類を差し込んで吊り下げることができ、また、閉塞バーを手前に戻して衣類の外れを確実に防止できる。
【発明の効果】
【０００９】
以上説明したように、この発明の杆列式の洗濯小物干しハンガーによれば、干し杆に衣類の袖等の通しが可能に前端開放であるが、強風にも耐えて衣類の脱落を確実に防止でき、それを防止する閉塞バーが側部フレームに設けた曲げ凹部に素早く安定して掛けて仮置きでき、たやすく閉塞バーから解放されるため衣類の掛け外しを手軽にでき、また、全体を吊り下げる支点が都合よく中心に位置する事となるので、突然の降雨があっても屋外の竿からの取込み及び仕舞い込みが容易となり、さらに嵩張りもなく軽量化でき、両側フレームを展開した状態でフックにより吊り下げて合理的に仕舞うことも可能であるという優れた効果がある。
【図面の簡単な説明】
【００１０】
【図１】この発明の一実施例を示す杆列式の洗濯小物干しハンガーの斜視図である。
【図２】上記実施例における閉塞バーの掛かり状態を示す同ハンガーの一部斜視図である。
【図３】同ハンガーの分解斜視図である。
【図４】同ハンガーの干し杆の先端部を示す拡大側面図である。
【図５】この発明の杆列式の洗濯小物干しハンガーの仕舞い方として吊り下げ状態を示す正面図である。
【図６】この発明の杆列式の洗濯小物干しハンガーの使用状態を示す斜視図である。
【図７】この発明の他の実施例を示す杆列式の洗濯小物干しハンガーの要部斜視図である。
【図８】同実施例と同じ考えによる他の実施例によるハンガーの分解斜視図である。
【図９】同実施例の一部干し杆を拡大して示す平面図である。
【図１０】同干し杆を閉塞バーとの関係において示す側面図である。
【図１１】両端部の形状を（イ）、（ロ）、（ハ）図として例示する閉塞バーの拡大平面図である。
【図１２】この発明の他の実施例の全体を示し、一部断面してあらわした小物干しハンガーの展開平面図である。
【図１３】同図の一端部を拡大するとともに一部切り欠いて示す概略平面図である。
【図１４】図１２に示す掛止部の側面図である。
【図１５】図１２のＡ−Ａ線矢視の拡大断面図である。
【図１６】図１２において側部フレームの回転中心となる軸部の部分拡大断面図である。
【図１７】図１２に示す閉塞バーの正面から見た一端部の拡大図である。
【発明を実施するための形態】
【００１１】
この発明においては、杆列体の前端を封じる閉塞バー５を着脱して使用し、不使用時に両側部フレーム３，３に有するＶ曲げ部１９，１９にその閉塞バー５を置くだけで都合よく仮置きできるものであるが、閉塞バー５が転落しないよう両側部フレーム３，３に水平部分が設けられ、曲げ凹部がＶ曲げ部１９に形成されることが好ましい。
【実施例１】
【００１２】
図１ないし図４は一実施例を示したもので、その杆列式の洗濯小物干しハンガーＰは、本体としての杆列体１と、その両端に連結される側部フレーム３，３と、前端に着脱される閉塞バー５とからなり、それぞれ金属製の線材により組み立てられ、側部フレーム３はリング６により杆列体１に連結される。
【００１３】
杆列体１は、図１に示すように、横に等間隔に干し杆７，７，７・・が配列され、そのうち両側端の干し杆7ａ，7ａについては波形である。また、全杆にわたって後端で前後２本の交差線材９，９を配設し、溶接することにより一体化してなる共同支持部８が構成される。これでシンプル且つ軽量な片持ちの支持構造であるので、洗濯物を取り付けたり外したりする作業において取り扱いやすいことになる。
【００１４】
支持部８により、全配列の干し杆７，７ａが片持ちとなり、前端が開放されているが、ストレートに抜けているわけではなく、両側端間の干し杆７では、上への反転屈曲により閉塞バー５を手前に引き入れて止める爪部１１を設けるとともに、反転先端１４が迎え角に反れて開放口１８に形成される。また、両側端の干し杆７ａ，７ａは、ピンチ３０等を掛け止やすく波形に形成され、さらに爪部１１の反転先の起立で上向きの突起１３が突設され、これで閉塞バー５の軸方向の移動が突起１３との輪２１掛けで阻止される。
【００１５】
側部フレーム３，３は、線材を前後帯長の矩形に形成され、前後間の中間部には、竹竿１５に掛けるフック１７が突設され、手前から掛け外しがしやすいよう後ろ開きにしてある。また、上端水平線材にはフック１７よりも手前位置に閉塞バー５を仮置きする掛止部としてV曲げ部１９，１９が設けられる。なお、側部フレーム３が衣文掛様に両肩部が傾斜していると、V曲げ部では傾斜により脱落しやすいので、衣文掛様のものではＶ曲げの形状なので脱落防止などを解決することができる。また、閉塞時に風を強く受け大きく揺らいでも、閉塞バー５が外れないので衣類の飛散を安全に防止できる（図６）。なお、閉塞バー５を取り外すときには、輪２１を突起１３から外しながら爪部１１から前方へ押し出せばよい（図２，図４）。
【００１６】
干し杆７に通して干された衣類は、閉塞バー５を外して取り入れることができ、取り除いた閉塞バー５は、左右のV曲げ部１９，１９に仮置きすれば紛失することもなく、洗濯物２０の取り入れ作業を都合よく安心してなし得る。
【００１７】
図５は、不使用時におけるハンガーＰの仕舞い方の一つを示したものであって、竿や鈎２８等にフック１７を掛けて閉塞バー５と共に吊り下げ状態にすれば場所を取らなく始末が良い。図６は、この発明の一使用状態を示す斜視図である。
【実施例２】
【００１８】
図７は、閉塞バー５をさらに取り扱いやすくした場合を示したもので、側部フレーム３を両肩（または前部肩）が傾斜する衣文掛状であって、閉塞バー５は、その肩部の線材をガイド２５としてそこに閉塞バー５の輪部２１を通し常時係合させてあるので、ガイド２５に沿って移動させることにより（Ｒ参照）、爪部１１と曲げ凹部１９との間に閉塞バー５の往復が可能となる。つまり、閉塞バー５を放置しないで、杆列体１の前端を開閉できるため紛失もなく好都合である。また、仕舞い方として、閉塞バー５を取り付けたままフック１７で垂れ下げることができる（図示省略、図５参照）。
【実施例３】
【００１９】
図８ないし図１０は同様の考えによる他の実施例を示したもので、その杆列式の洗濯小物干しハンガーＰは、杆列体１において、各干し杆７，７、・・が一本の線材からなるが、前端で反転して複線形態であって、先端に閉塞バー５を上動しやすく受けるよう逆「へ」の字に曲がる受形の爪部１１が設けられる。
【００２０】
また、側部フレーム３，３については、手前上端に曲げ凹部１９を有するが、閉塞バー５の端の輪部２１が肩部線材をガイド２５としてそれに係合しているので、爪部１１に受けられている閉塞バー５を持ち上げてガイドで曲げ凹部１９に輪部２１を確実に掛止めることができる。複線のため丸まっている干し杆７の先端の爪部１１との離れが良い（絡みがない）ので、閉塞バー５の上下操作を容易になし得る利点がある。
【００２１】
図１１は、閉塞バー５の輪部２１について代表的な形状を示したもので、以上の実施例の図面の記載にかかわらず、輪部２１については場合により合理的に様々の形態となるのであって、図面の形状に制約されない。
【実施例４】
【００２２】
図１２は、前記の実施例のものと基本的形態を保持しながら、改良を大幅に加えたもので、以下に、小物干しハンガーＰＡを他の付属図（図１３〜図１７）と共に説明する。
【００２３】
小物干しハンガーＰＡは、杆列体１の両端にフック１７付の側部フレーム３，３を有し、前端に衣類の脱落を防止する閉塞バー５を具備している。そして、閉塞バー５は、側部フレーム３，３の線材３ａと両端の輪２１、２１で係合している（図１７）。
【００２４】
杆列体１は、配列される干し杆７が基端で一体化して片持ちされているもので、これには基端に共同支持部８として矩形で中空の角筒形アルミ押出型材が使用され、これに干し杆７の通し孔２７を設け、差し込み部を溶着して固定される。また、共同支持部８の両端には、軸孔２９を設けて合って、これに側部フレーム３の一部を軸部３１として通し反転可能に組付けられる。
【００２５】
なお、側部フレーム３は、一本の線材３aを矩形に折り曲げたもので、枠形として無端ではあるが、軸孔２９を通すために一部で切断し開放される。つまり、軸部３１の先が切断口となっており、軸孔２９に通し後に該部両端が連結される。なお、この場合、段差部３７ａで二つ合せに溶接されることにより、軸部３１が下枠線材３７と同軸とされる。
【００２６】
各干し杆７は、片持ちにより先端部が開放されているが、先端に干し物や前記閉塞バー５が掛かる爪部１１が設けられ、それが上向きに反転屈曲している。爪部１１は上下高に形成される（図１５）。下枠線材３７に係る閉塞バー５の輪２１は、バーを上下して爪部１１に掛けやすく、上下長の楕円形に形成される。
【００２７】
また、閉塞バー５を待機させる高所においては、この楕円の輪２１が安定して係るよう一対の金属片３３、３３が溶接して突設され、その間に輪２１が掛かるように閉塞バー５の掛止部が構成される。また、輪２１が所定の箇所から不本意にずれないように、要所において線材には一部が盛り上がる突起３５が形成される。これは閉塞バー５の所定外へのずれを防ぐよう軽くストッパの役目を果たす。図１３、図１５は、干し杆７や下枠線材３７に突起３５を設けた場合を示す。
【符号の説明】
【００２８】
Ｐ，ＰＡ  杆列式の洗濯小物干しハンガー
１  杆列体
３  側部フレーム
５  閉塞バー
７，７a  干し杆
８  共同支持部
１１  爪部
１３  突起
１７  フック
１９  Ｖ曲げ部
２１  輪
２５  ガイド
２７  通し孔
２９  軸孔
３１  軸部
３５  突起
３７  下枠線材
３９  掛止部となる金属片
【図１】
2018175833.tif 000003
【図２】
2018175833.tif 000004
【図３】
2018175833.tif 000005
【図４】
2018175833.tif 000006
【図５】
2018175833.tif 000007
【図６】
2018175833.tif 000008
【図７】
2018175833.tif 000009
【図８】
2018175833.tif 000010
【図９】
2018175833.tif 000011
【図１０】
2018175833.tif 000012
【図１１】
2018175833.tif 000013
【図１２】
2018175833.tif 000014
【図１３】
2018175833.tif 000015
【図１４】
2018175833.tif 000016
【図１５】
2018175833.tif 000017
【図１６】
2018175833.tif 000018
【図１７】
2018175833.tif 000019